(57)【要約】【課題】操作パネル用スイッチに用いられる可動接点体に関し、動作寿命の劣化を起こさせることなく高動作力のスイッチ部位が構成できる可動接点体を提供することを目的とする。【解決手段】高動作力とする部位を、絶縁性フィルム１の下面の粘着層２で保持した可動接点３に対し、上下方向で位置が重なり合うように、絶縁性フィルム１上面にも可動接点１１を固定用フィルム１２で固着させて構成したため、動作力の重い耐久性の少ない可動接点を使わずとも済み、寿命特性に優れる高動作力のスイッチ部位が構成できるものが得られる。【選択図】図１
2005216799.tif 000002
【特許請求の範囲】
【請求項１】
押下により反転動作するドーム状に形成された第一の可動接点が、その上面を絶縁性フィルムの下面に形成された粘着層で粘着保持されると共に、その絶縁性フィルムの上面に、押下により反転動作するドーム状に形成された第二の可動接点が、上記第一および第二の可動接点どうしが上下で重なり合うように上記第一の可動接点に対して位置を合わせて配設されている可動接点体。
【請求項２】
第二の可動接点は、固定用フィルムの下面に形成された粘着層で上面が粘着保持され、上記固定用フィルムの下面周囲部分が絶縁性フィルムの上面に粘着固定された請求項１記載の可動接点体。
【請求項３】
絶縁性フィルムが透明または半透明である請求項１記載の可動接点体。
【請求項４】
固定用フィルムの厚みが１２．５μｍ〜２５μｍである請求項２記載の可動接点体。
【発明の詳細な説明】
【技術分野】
【０００１】
本発明は、各種電子機器の操作パネル用スイッチに使用される可動接点体に関するものである。
【背景技術】
【０００２】
近年、携帯電話やポータブルＡＶ機器等のように各種電子機器を携帯して使用するものが増え、小型化、薄型化、軽量化と同時に多機能化が進められている。
【０００３】
そして、それら電子機器の操作パネル用スイッチとしては、薄型化が図れて、操作感触が良好、かつ安定した電気的な接触が得られるものとして、ドーム状に加工された弾性を有する導電金属薄板からなる可動接点が絶縁樹脂製の絶縁性フィルムに保持されたもの、いわゆる可動接点体が多く使用されるようになっている。
【０００４】
そして、これらの電子機器は、携帯されることから操作パネル用スイッチが操作される頻度も多く、スイッチ動作の長寿命化などが求められている。
【０００５】
以下に、このような操作パネル用スイッチに用いられる従来の可動接点体について、図４〜図７を用いて説明する。なお、図面としては構成が理解し易いように厚み方向の寸法を拡大して示している。
【０００６】
図４は従来の可動接点体の部分断面図、図５は同分解斜視図であり、同図において、１は外形が略方形に加工形成された可撓性を有する絶縁性フィルムで、その下面に形成された粘着層２によって、上方凸部のドーム状に加工された弾性を有する導電金属薄板製の可動接点３を複数個、互いに独立状態になるように、それらの上部を粘着保持している。
【０００７】
なお、可動接点３の配置関係は、使用される操作パネル用スイッチ毎に設定され、例えば図５に示すものは、携帯電話の操作パネル用スイッチに適合する配列状態を示している。
【０００８】
そして、上記のように構成された従来の可動接点体は、図６の同可動接点体が装着されて構成された操作パネル用スイッチの部分断面図に示すように、可動接点３付の絶縁性フィルム１を、各可動接点３に対応する各固定接点６（６Ａ、６Ｂ）が配設された配線基板７の上面に、その下面の粘着層２で貼り付け装着して用いられる。
【０００９】
このとき、それぞれの中央固定接点６Ａが各可動接点３の中央部に所定間隔を空けて対峙し、かつそれぞれの外側固定接点６Ｂ上に上記各可動接点３の外周下端が載置されることにより、各可動接点３は対応する各固定接点６（６Ａ、６Ｂ）とで個別のスイッチとして構成される。
【００１０】
さらに、絶縁性フィルム１の上方に、各可動接点３に対応した位置に下方への凸部８Ａがそれぞれ設けられている機器の操作釦８が載せられて操作パネル用スイッチを構成するものであった。
【００１１】
なお、この操作釦８の各凸部８Ａと対応する可動接点３とは、中心位置が合わせられて、凸部８Ａの下面が絶縁性フィルム１の上面に当接状態で配される。
【００１２】
次に、このように構成された従来の可動接点体を用いた操作パネル用スイッチの動作について説明する。
【００１３】
操作釦８を押下操作すると、操作釦８が下方に移動していき、凸部８Ａ下面に当接している絶縁性フィルム１を介して可動接点３の中央部に押圧力が加わっていく。
【００１４】
そして、その押圧力が可動接点３の反転動作力より大きくなると、図７に示すように、ドーム状に形成された可動接点３は節度感を持って反転動作し、その中央部下面が中央固定接点６Ａに接触する。これにより、配線基板７の中央固定接点６Ａと外側固定接点６Ｂとの間が可動接点３を介して電気的に接続される。
【００１５】
そして、上記操作釦８への押下げ操作力を除くと、可動接点３は自らの弾性復元力で元の上方凸型のドーム状に復元し、中央部の下面が中央固定接点６Ａと離れ、配線基板７の中央固定接点６Ａと外側固定接点６Ｂとの間が電気的な独立状態に戻ると共に、絶縁性フィルム１および操作釦８を図６に示す押圧操作前の状態に押し戻す。
【００１６】
以上のように従来の可動接点体は、操作時に適度な節度感触が得られる操作感触の良い操作パネル用スイッチが構成できるものであった。
【００１７】
そして、通常、可動接点体としては、操作パネル用スイッチを構成した際に、個々のスイッチへの押圧操作力が、同じ大きさのものが好まれるが、例えば図５に示す携帯電話に応じたものなど、カーソル移動やその後の確定操作時等に使用されるスイッチ部位を構成する可動接点の十字状配列部位５（図５参照）では、その中央位置にあたる可動接点４のみを、周囲の可動接点３よりも動作力の重いものを用いて、その中央位置に構成されるスイッチの誤操作防止を図ることが多かった。
【００１８】
なお、この出願の発明に関連する先行技術文献情報としては、例えば、特許文献１が知られている。
【特許文献１】特開２００２−２１６５８２号公報
【発明の開示】
【発明が解決しようとする課題】
【００１９】
しかしながら上記従来の可動接点体は、可動接点の十字状配列部位５において、その中央位置にあたる可動接点４を、周囲の可動接点３と同じ形状寸法を維持しつつ動作力の重いものとした場合、操作パネル用スイッチへの構成時に可動接点４の耐久性確保が難しく長寿命化を図ることが難しかった。
【００２０】
本発明は、このような従来の課題を解決するものであり、操作パネル用スイッチを構成した際、高動作力で耐久性にも優れたスイッチ部位を構成できる可動接点体を提供することを目的とする。
【課題を解決するための手段】
【００２１】
上記目的を達成するために本発明は、以下の構成を有するものである。
【００２２】
本発明の請求項１に記載の発明は、押下により反転動作するドーム状に形成された第一の可動接点が、その上面を絶縁性フィルムの下面に形成された粘着層で粘着保持されると共に、その絶縁性フィルムの上面に、押下により反転動作するドーム状に形成された第二の可動接点が、上記第一および第二の可動接点どうしが上下で重なり合うように上記第一の可動接点に対して位置を合わせて配設されている可動接点体であり、当該可動接点どうしを上下方向で重なるようにして配置してある部分は、二枚の可動接点の動作力を備えた高動作力の部位にでき、可動接点として寿命特性に優れる通常の動作力のものを用いて当該部位を構成することにより、高動作力を必要とするスイッチ部分においても高動作力を維持しつつ長寿命化が図れるものにできるという作用を有する。
【００２３】
請求項２に記載の発明は、請求項１記載の発明において、第二の可動接点は、固定用フィルムの下面に形成された粘着層で上面が粘着保持され、上記固定用フィルムの下面周囲部分が絶縁性フィルムの上面に粘着固定されたものであり、第二の可動接点を、対応する第一の可動接点の上方位置に容易かつ確実に配設することができ、かつ厚みも薄く構成できるという作用を有する。
【００２４】
請求項３に記載の発明は、請求項１記載の発明において、絶縁性フィルムが透明または半透明であるものであり、絶縁性フィルムに保持された一方の可動接点の位置が容易に確認できるようになるため、他方の可動接点の装着時に、位置合わせが容易にでき、位置精度高く二つの可動接点を上下で重ね合わせて配設できるという作用を有する。
【００２５】
請求項４に記載の発明は、請求項２記載の発明において、固定用フィルムの厚みが１２．５μｍ〜２５μｍであるものであり、固定用フィルムに起因する動作感触への影響度合いが少なくでき、良好な動作感触のものが得られるという作用を有する。
【発明の効果】
【００２６】
以上のように本発明によれば、耐久性の少ない動作力の重い可動接点を使わずとも、寿命特性に優れる通常の動作力の可動接点を用いて、高動作力で長寿命化も図れた部位を有する可動接点体が実現できるという有利な効果が得られる。
【発明を実施するための最良の形態】
【００２７】
以下、本発明の実施の形態について、図１〜図３を用いて説明する。
【００２８】
なお、従来の技術の項で説明した構成と同一構成の部分には同一符号を付して、詳細な説明を省略する。また、図面としては構成が理解し易いように厚み方向の寸法を拡大して示している。
【００２９】
（実施の形態）
図１は本発明の一実施の形態における可動接点体の部分断面図、図２は同分解斜視図であり、本発明による可動接点体においても、従来と同様に携帯電話の操作パネル用スイッチに適合するものを例として以下に説明する。
【００３０】
同図に示すように、絶縁性フィルム１は、下面に形成された粘着層２によって、上方凸型のドーム状に加工された弾性を有する導電金属薄板製の可動接点３を、複数個互いに独立状態になるようにして、それらの上部を粘着保持している。
【００３１】
そして、本発明によるものは、図２に示す可動接点の十字状配列部位１５の構成が異なり、当該十字状配列部位１５において、絶縁性フィルム１の下面には、全て同じ動作力の五つの可動接点３が十字状に配列されて粘着保持されている。その配列状態は、一つの可動接点３が中央に配置され、他の四つは、そこを中心として、等距離でかつ互いに９０°間隔となる位置関係で配置されている。そして、その中央位置に配置されている可動接点３に応じた絶縁性フィルム１の上面位置のみに、さらに可動接点１１が固着された構成となっている。なお、この絶縁性フィルム１の上面に固着された可動接点１１は、特殊な重い動作力のものではなく、下面側の可動接点３と同じものが装着されている。なお、以下の説明は、判り易くするため、上面側のものを可動接点１１として説明する。
【００３２】
そして、上記可動接点１１は、絶縁性フィルム１下面側の十字状配列部位１５において中央位置に配置してある可動接点３に対し、上下方向で中心位置を合わせて重なり合うように絶縁性フィルム１上面に、絶縁樹脂製の固定用フィルム１２を用いて固着されている。
【００３３】
上記固定用フィルム１２は、可動接点１１の外形よりも若干大きい方形で、その下面に形成された粘着層１３で、可動接点１１の上面を粘着保持すると共に、可動接点１１よりも外方位置となる粘着層１３の周囲部分が、全周に亘って絶縁性フィルム１の上面に粘着されている。なお、当該構成とすると薄形で可動接点１１の固着状態が確実に維持できる構成にでき好ましいが、固定用フィルム１２の大きさは、可動接点１１全体が覆い込める大きさとしなくともよい。また、他の方法で可動接点１１が固着されてあってもよい。
【００３４】
以上のように、本発明による可動接点体は構成されるものである。そして、操作パネル用スイッチを構成する際には、図３の同可動接点体が装着されて構成された操作パネル用スイッチの部分断面図に示すように、絶縁性フィルム１の下面の粘着層２で、各可動接点３に対応する固定接点６（６Ａ、６Ｂ）が配設された配線基板７上に貼り付け装着され、各可動接点３が対応する各固定接点６（６Ａ、６Ｂ）とで個別のスイッチとして構成される点は、従来の場合と同じである。
【００３５】
そして、絶縁性フィルム１上には、各可動接点３の配置位置に対応した位置に下方への凸部２１Ａ、２２Ａが設けられた機器の操作釦２１、２２が乗せられて操作パネル用スイッチが構成される。このとき、操作釦２１とその凸部２１Ａは、二枚の可動接点３および１１が上下に重ね合うように配された部位に対応し、操作釦２２とその凸部２２Ａは、可動接点３のみが配された部位に対応して配置される。このとき、操作釦２１の凸部２１Ａは、固定用フィルム１２上に凸部２１Ａ下面が当接状態で、またその他の可動接点３の位置に対応する操作釦２２の凸部２２Ａは、従来同様に絶縁性フィルム１上に下面が当接状態で位置決めされて配される。なお、操作釦２１、２２は個別に上下動可能で、各凸部２１Ａ、２２Ａと対応する各可動接点３の中心位置は合わせられている。
【００３６】
次に、上記構成の操作パネル用スイッチの動作について説明する。
【００３７】
このとき、従来と同一構成となる操作釦２２の凸部２２Ａを含むスイッチ部分の動作の説明は省略し、操作釦２１の凸部２１Ａを含むスイッチ構成部分の動作のみを説明する。
【００３８】
操作釦２１を押下操作すると、操作釦２１が下方に移動していき、凸部２１Ａの下面から固定用フィルム１２上に押圧力が加わっていく。
【００３９】
このとき、固定用フィルム１２よりも下方の位置には、絶縁性フィルム１の上下面に同じものからなる可動接点１１と３が中心位置を合わせて重なるように配置されているため、上記凸部２１Ａでの押圧力が、それら可動接点１１と３の合計の反転動作力よりも大きくなると、可動接点１１と３は同時に反転動作する。
【００４０】
上記反転動作によって、絶縁性フィルム１の下面に保持された可動接点３の中央部下面が、対応する中央固定接点６Ａに接触し、可動接点３を介して中央固定接点６Ａと外側固定接点６Ｂとの間が電気的接続状態となる。
【００４１】
そして、上記操作釦２１への押下げ操作力を除くと、可動接点１１および３は自らの弾性復元力で元の上方凸型のドーム状に同時に復元し、可動接点３の中央部下面が中央固定接点６Ａと離れて、中央固定接点６Ａと外側固定接点６Ｂとの間が電気的な独立状態に戻る。それと共に、絶縁性フィルム１や固定用フィルム１２および操作釦２１は、上記弾性復元力によって押し戻されて図３に示す押圧操作前の状態に戻る。
【００４２】
このように、本発明による可動接点体を用いて構成された操作パネル用スイッチは、絶縁性フィルム１を介して上下に位置を合わせて可動接点１１および３を装着した部分の動作力が、一枚の可動接点３のみが配された他の部分の動作力に対し略２倍となるスイッチ部位のものとなる。
【００４３】
また、上記高動作力とされたスイッチ部位は、寿命特性に優れる通常の動作力の同じ可動接点１１および３を上下方向で重なるように配して構成したものであるため、当該スイッチ部位における動作耐久性としても、一枚の可動接点３の動作耐久性に基づくものとなり、他のスイッチ部位と同等の寿命確保が可能となる。
【００４４】
なお、少なくとも絶縁性フィルム１として、透明または半透明の材質のものを用いると、絶縁性フィルム１への可動接点１１および３の配置位置精度の向上が容易となる。つまり、絶縁性フィルム１への可動接点１１および３の装着を上下片面ずつ順に行うようにした際、絶縁性フィルム１が透明または半透明であれば、その一方の面に装着済みとされた一方の可動接点の位置の識別が容易に可能となって、他方の可動接点を上下方向で互いの中心位置が合うように容易かつ高精度に他方の面に装着できるためである。このとき、可動接点どうしの位置ずれが少なく構成できるほど、安定した動作状態のものにできる。
【００４５】
なお、固定用フィルム１２としても、上記同様に透明または半透明の材質のものを用いることが好ましい。
【００４６】
そして、絶縁性フィルム１や固定用フィルム１２の材質としては、安価なポリエチレンテレフタレート製の絶縁フィルムが適している。また、固定用フィルム１２としては、１２．５μｍ〜２５μｍの厚みのものであれば、単一の可動接点１１のみの固着状態は十分に維持でき、しかも固定用フィルム１２に起因する動作感触への影響度合いも少なくでき、良好な動作感触のものにできる。
【００４７】
なお、上記には絶縁性フィルム１に可動接点１１を固着してあるものを説明したが、可動接点１１を機器の操作釦側に装着して、下方の可動接点３の位置に上下方向で位置を合わせるようにして組み合わせる構成等としてもよく、また、携帯電話に応じた十字状配列部位１５以外の箇所に当該高動作力の部位を配設してもよい。
【産業上の利用可能性】
【００４８】
本発明による可動接点体は、高動作力とする部位を、絶縁性フィルムの上下面各々に上下方向で位置を合わせて可動接点を固着させて構成するものであるため、その可動接点として動作力の重い耐久性の少ないものを使わずとも済み、操作パネル用スイッチとして構成した際に、高動作力を必要とするスイッチ部分が構成できると共に、そのスイッチ部分における動作の長寿命化が図れるものにできるという効果を有し、各種電子機器の操作パネル用スイッチを構成する際等に有用である。
【図面の簡単な説明】
【００４９】
【図１】本発明の一実施の形態における可動接点体の部分断面図
【図２】同分解斜視図
【図３】同可動接点体が装着されて構成された操作パネル用スイッチの部分断面図
【図４】従来の可動接点体の部分断面図
【図５】同分解斜視図
【図６】同可動接点体が装着されて構成された操作パネル用スイッチの部分断面図
【図７】同操作パネル用スイッチの押圧操作状態を示す部分断面図
【符号の説明】
【００５０】
１  絶縁性フィルム
２  絶縁性フィルム下面の粘着層
３、１１  可動接点
６  固定接点
６Ａ  中央固定接点
６Ｂ  外側固定接点
７  配線基板
１２  固定用フィルム
１３  固定用フィルム下面の粘着層
１５  十字状配列部位
２１、２２  操作釦
２１Ａ、２２Ａ  凸部
【図１】
2005216799.tif 000003
【図２】
2005216799.tif 000004
【図３】
2005216799.tif 000005
【図４】
2005216799.tif 000006
【図５】
2005216799.tif 000007
【図６】
2005216799.tif 000008
【図７】
2005216799.tif 000009